(57)【要約】【課題】空気供給路に供給する対象室内の内部空気の供給量を容易に制御することができる除湿空調装置を提供すること。【解決手段】区画された水分吸着領域３１と水分放出領域４１との間で水分吸着体２１を循環移動させる除湿ロータ２０と、水分吸着領域３１を有し、導入した空気を店舗１内に供給するための空気供給路３００と、水分放出領域４１を有し、導入した空気を外部に放出するための空気放出路４００とを備えた除湿空調装置１０において、空気供給路３００と給気口（６１３，６１４）を介して連通する態様で設けられた第１給気室６１２と、給気口を開閉させる給気ダンパ６３とを備え、第１給気室６１２に店舗１内の内部空気を充満させ、給気ダンパ６３を開動作させることにより給気口を通じて第１給気室６１２に充満した内部空気を空気供給路３００に送出する第１還気送出手段６１を備えている。【選択図】        図１
2008190746.tif 000002
【特許請求の範囲】
【請求項１】
区画された水分吸着領域と水分放出領域との間で水分吸着体を循環移動させる除湿ロータと、
前記水分吸着領域を有し、導入した空気を対象室内に供給するための空気供給路と、
前記水分放出領域を有し、導入した空気を外部に放出するための空気放出路と
を備えた除湿空調装置において、
前記空気供給路と給気口を介して連通する態様で設けられた室と、
前記給気口を開閉させる給気ダンパと
を備え、前記室に前記対象室内の内部空気を充満させ、前記給気ダンパを開動作させることにより前記給気口を通じて前記室に充満した内部空気を前記空気供給路に送出する還気送出手段を備えたことを特徴とする除湿空調装置。
【請求項２】
前記空気供給路には、前記水分吸着領域の上流域に処理側熱交換器が設けてあり、
前記還気送出手段は、前記処理側熱交換器の上流域および前記水分吸着領域の下流域の少なくとも一方に前記内部空気を送出することを特徴とする請求項１に記載の除湿空調装置。
【請求項３】
前記空気供給路には、外気を導入するための外気導入口を有し、該外気導入口を開閉して外気の導入量を調節するためのダンパを設けたことを特徴とする請求項１または請求項２に記載の除湿空調装置。
【請求項４】
前記室は、外気を導入するための外気導入口を有し、
前記還気送出手段は、前記外気導入口を通じて導入した外気と前記内部空気とを混合させて前記給気口より送出することを特徴とする請求項１〜３のいずれか一つに記載の除湿空調装置。
【請求項５】
前記処理側熱交換器の上流域に整流機構を付設したことを特徴とする請求項２〜４のいずれか一つに記載の除湿空調装置。
【請求項６】
前記空気放出路と他の給気口を介して連通する態様で設けられた室と、前記他の給気口を開閉させる供給ダンパとを備え、前記室に前記対象室内の内部空気を充満させ、前記供給ダンパを開動作させることにより前記他の給気口を通じて前記室に充満した内部空気を前記空気放出路に送出する他の還気送出手段を備えたことを特徴とする請求項１〜５のいずれか一つに記載の除湿空調装置。
【請求項７】
区画された水分吸着領域と水分放出領域との間で水分吸着体を循環移動させる除湿ロータと、
前記水分吸着領域を有し、導入した空気を対象室内に供給するための空気供給路と、
前記水分放出領域を有し、導入した空気を外部に放出するための空気放出路と
を備えた除湿空調装置において、
前記空気放出路と他の給気口を介して連通する態様で設けられた室と、
前記他の給気口を開閉させる供給ダンパと
を備え、前記室に前記対象室内の内部空気を充満させ、前記供給ダンパを開動作させることにより前記他の給気口を通じて前記室に充満した内部空気を前記空気放出路に送出する他の還気送出手段を備えたことを特徴とする除湿空調装置。
【請求項８】
前記空気放出路には、前記水分放出領域の上流域に再生側熱交換器が設けてあり、
前記他の還気送出手段は、前記再生側熱交換器の上流域および前記水分放出領域の下流域の少なくとも一方に前記内部空気を送出することを特徴とする請求項６または請求項７に記載の除湿空調装置。
【発明の詳細な説明】
【技術分野】
【０００１】
本発明は、除湿空調装置に関し、より詳細には、例えばスーパーマーケット、コンビニエンスストア、ショッピングセンター等の店舗に適用され、室内への外気導入による換気、除湿、空気調和の各機能を有する除湿空調装置の改良に関する。
【背景技術】
【０００２】
従来、例えばスーパーマーケット、コンビニエンスストア、ショッピングセンター等の店舗等に適用される除湿空調装置として、区画された水分吸着領域と水分放出領域との間で水分吸着体を循環移動させる除湿ロータを有し、空気供給路に導入した処理空気を処理側熱交換器にて冷却した後、水分吸着領域を通過させて店舗内に供給する一方、空気放出路に導入した再生空気を再生側熱交換器にて加熱した後、水分放出領域を通過させて外部に放出するものが知られている。そして、このような除湿空調装置においては、店舗内の内部空気を配管ダクトを通じて移送し、水分吸着領域の下流域に給気口を通じて吐出して、該水分吸着領域を通過させた処理空気と混合させるようにしたものがある（例えば、特許文献１参照）。
【０００３】
【特許文献１】特開２００２−２３５９３３号公報
【発明の開示】
【発明が解決しようとする課題】
【０００４】
ところが、上述したような除湿空調装置においては、配管ダクトを通じて移送させた内部空気を水分吸着領域の下流域に直接吐出させていたので、吐出させる際の内部空気の流速は配管ダクトを通過する際の流速や店舗内の圧力に影響される結果、給気口より吐出させる内部空気の供給量の調整が困難であった。尚、ここでは空気供給路に店舗内の内部空気を供給する場合について説明したが、空気放出路に店舗内の内部空気を供給する場合にも同様の問題があることは言うまでもない。
【０００５】
本発明は、上記実情に鑑みて、空気供給路または空気放出路に供給する対象室内の内部空気の供給量を容易に制御することができる除湿空調装置を提供することを目的とする。
【課題を解決するための手段】
【０００６】
上記目的を達成するために、本発明の請求項１に係る除湿空調装置は、区画された水分吸着領域と水分放出領域との間で水分吸着体を循環移動させる除湿ロータと、前記水分吸着領域を有し、導入した空気を対象室内に供給するための空気供給路と、前記水分放出領域を有し、導入した空気を外部に放出するための空気放出路とを備えた除湿空調装置において、前記空気供給路と給気口を介して連通する態様で設けられた室と、前記給気口を開閉させる給気ダンパとを備え、前記室に前記対象室内の内部空気を充満させ、前記給気ダンパを開動作させることにより前記給気口を通じて前記室に充満した内部空気を前記空気供給路に送出する還気送出手段を備えたことを特徴とする。
【０００７】
また、本発明の請求項２に係る除湿空調装置は、上述した請求項１において、前記空気供給路には、前記水分吸着領域の上流域に処理側熱交換器が設けてあり、前記還気送出手段は、前記処理側熱交換器の上流域および前記水分吸着領域の下流域の少なくとも一方に前記内部空気を送出することを特徴とする。
【０００８】
また、本発明の請求項３に係る除湿空調装置は、上述した請求項１または請求項２において、前記空気供給路には、外気を導入するための外気導入口を有し、該外気導入口を開閉して外気の導入量を調節するためのダンパを設けたことを特徴とする。
【０００９】
また、本発明の請求項４に係る除湿空調装置は、上述した請求項１〜３のいずれか一つにおいて、前記室は、外気を導入するための外気導入口を有し、前記還気送出手段は、前記外気導入口を通じて導入した外気と前記内部空気とを混合させて前記給気口より送出することを特徴とする。
【００１０】
また、本発明の請求項５に係る除湿空調装置は、上述した請求項２〜４のいずれか一つにおいて、前記処理側熱交換器の上流域に整流機構を付設したことを特徴とする。
【００１１】
また、本発明の請求項６に係る除湿空調装置は、上述した請求項１〜５のいずれか一つにおいて、前記空気放出路と他の給気口を介して連通する態様で設けられた室と、前記他の給気口を開閉させる供給ダンパとを備え、前記室に前記対象室内の内部空気を充満させ、前記供給ダンパを開動作させることにより前記他の給気口を通じて前記室に充満した内部空気を前記空気放出路に送出する他の還気送出手段を備えたことを特徴とする。
【００１２】
また、本発明の請求項７に係る除湿空調装置は、区画された水分吸着領域と水分放出領域との間で水分吸着体を循環移動させる除湿ロータと、前記水分吸着領域を有し、導入した空気を対象室内に供給するための空気供給路と、前記水分放出領域を有し、導入した空気を外部に放出するための空気放出路とを備えた除湿空調装置において、前記空気放出路と他の給気口を介して連通する態様で設けられた室と、前記他の給気口を開閉させる供給ダンパとを備え、前記室に前記対象室内の内部空気を充満させ、前記供給ダンパを開動作させることにより前記他の給気口を通じて前記室に充満した内部空気を前記空気放出路に送出する他の還気送出手段を備えたことを特徴とする。
【００１３】
また、本発明の請求項８に係る除湿空調装置は、上述した請求項６または請求項７において、前記空気放出路には、前記水分放出領域の上流域に再生側熱交換器が設けてあり、前記他の還気送出手段は、前記再生側熱交換器の上流域および前記水分放出領域の下流域の少なくとも一方に前記内部空気を送出することを特徴とする。
【発明の効果】
【００１４】
本発明に係る除湿空調装置によれば、空気供給路と給気口を介して連通する態様で設けられた室に対象室内の内部空気を充満させ、給気口を開閉させる給気ダンパを開動作させることにより該給気口を通じて室に充満した内部空気を空気供給路に送出するので、空気供給路に供給する対象室内の内部空気の供給量を容易に制御することが可能になるという効果を奏する。
【００１５】
また、本発明に係る除湿空調装置によれば、空気放出路と他の給気口を介して連通する態様で設けられた室に対象室内の内部空気を充満させ、他の給気口を開閉させる供給ダンパを開動作させることにより他の給気口を通じて室に充満した内部空気を空気放出路に送出するので、空気放出路に供給する対象室内の内部空気の供給量を容易に制御することが可能になるという効果を奏する。
【発明を実施するための最良の形態】
【００１６】
以下に添付図面を参照して、本発明に係る除湿空調装置の好適な実施の形態について詳細に説明する。尚、本実施の形態では、除湿空調装置の対象室は、例えばスーパーマーケット、コンビニエンスストア、ショッピングセンター等の店舗であるとして説明する。
【００１７】
図１は、本発明の実施の形態における除湿空調装置の構成を模式的に示した模式図である。ここに例示する除湿空調装置１０は、店舗１の内部への外気導入による換気、除湿および空気調和を行うものである。対象となる店舗１の内部には、ショーケース２が設けてある。このショーケース２は、内部に陳列された商品等を冷却するためのものである。尚、実際には店舗１の内部にショーケース２が複数設けられているのが一般的であるが、本実施の形態では、説明の便宜上のため、店舗１の内部にショーケース２を一つだけ例示して説明を行うことにする。
【００１８】
上記店舗１に適用される除湿空調装置１０は、除湿ロータ２０、空気供給手段３０、空気放出手段４０およびヒートポンプユニット５０を備えて構成してある。
【００１９】
除湿ロータ２０は、短軸円柱状に形成した例えば紙やゼオライト系等の水分吸着体２１が設けてある。水分吸着体２１は、図示しないモータの駆動によりその中心軸回りに回転するものである。より詳細に説明すると、水分吸着体２１は、互いに区画され、かつ空気の流路を構成する水分吸着領域３１と水分放出領域４１との間を交互に通過する態様で回転するものである。すなわち、除湿ロータ２０は、区画された水分吸着領域３１と水分放出領域４１との間で水分吸着体２１を循環移動させるものである。これにより水分吸着体２１が回転すると、水分吸着領域３１に位置した部分は水分放出領域４１に移動し、次いで再び水分吸着領域３１に移動することを順次繰り返すことになる。
【００２０】
空気供給手段３０は、導入した処理空気（外気）を店舗１の内部に供給するためのものであり、空気供給路３００を有している。
【００２１】
空気供給路３００は、除湿空調装置１０を構成する筐体の内部に設けてあり、処理空気取入口３０１から取り入れた処理空気を、処理空気吐出口３０２を通じて店舗１の内部に供給するための経路であり、水分吸着領域３１および供給ファン３２が処理空気取入口３０１側から順に設けてある。
【００２２】
水分吸着領域３１は、詳細は後述するが、除湿空調装置１０が除湿運転を行う場合に通過する処理空気の水分を水分吸着体２１に吸着させるための領域である。これにより、通過する処理空気は、水分吸着領域３１で除湿されることになる。供給ファン３２は、処理空気取入口３０１を通じての処理空気の導入、並びに店舗１の内部への処理空気の送出（供給）の送風源となるものである。従って、供給ファン３２の駆動により、空気供給路３００を通過した処理空気は、処理空気吐出口３０２を通じて店舗１の内部に供給されることになる。
【００２３】
空気放出手段４０は、空気放出路４００を有している。空気放出路４００は、除湿空調装置１０を構成する筐体の内部に設けてあり、上記空気供給路３００とは区画された態様で該空気供給路３００に並設してある。かかる空気放出路４００は、再生空気取入口４０１から取り入れた再生空気（外気）を、再生空気吐出口４０２を通じて外部に放出するための経路であり、水分放出領域４１および放出ファン４２が再生空気取入口４０１側から順に設けてある。
【００２４】
水分放出領域４１は、詳細は後述するが、除湿空調装置１０が除湿運転を行う場合に水分吸着体２１に水分を放出させるための領域である。放出ファン４２は、再生空気取入口４０１を通じての再生空気の導入、並びに外部への再生空気の再生空気の送出（放出）の送風源となるものである。従って、放出ファン４２の駆動により、空気放出路４００を通過した再生空気は、再生空気吐出口４０２を通じて外部に放出されることになる。
【００２５】
ヒートポンプユニット５０は、冷媒循環回路５０ａを備えて構成してある。冷媒循環回路５０ａは、圧縮機５１と、処理側熱交換器５２と、再生側熱交換器５３とを冷媒配管で順次接続して構成してあり、内部に冷媒が封入されてなるものである。ここに冷媒としては、種々のものを用いることができ、例えばクロロフルオロカーボン、ハイドロクロロフルオロカーボン、ハイドロフルオロカーボン、フルオロカーボン、これらの混合溶媒、臭化メチル、アンモニア、二酸化炭素、水等を用いることができる。
【００２６】
圧縮機５１は、空気放出路４００において再生空気取入口４０１の近傍、より詳細には再生空気取入口４０１の直近の下流域に配設してある。この圧縮機５１は、冷媒を圧縮して高温高圧の状態にするものである。かかる圧縮機５１は、弁体５４を介して処理側熱交換器５２に接続された冷媒配管および再生側熱交換器５３に接続された冷媒配管のそれぞれに接続してある。弁体５４は、冷媒循環回路５０ａを流れる冷媒の方向を調整するものである。一例を挙げると、弁体５４は、除湿空調装置１０が除湿運転を行う場合には、圧縮機５１で圧縮された冷媒を再生側熱交換器５３に向けて送出するように調整する一方（図中の実線矢印方向）、除湿空調装置１０が暖房運転を行う場合には、圧縮機５１で圧縮された冷媒を処理側熱交換器５２に向けて送出するように調整するものである（図中の破線矢印方向）。
【００２７】
処理側熱交換器５２は、空気供給路３００において水分吸着領域３１の上流域に配設してある。この処理側熱交換器５２は、冷媒を周囲空気、すなわち水分吸着領域３１に向けて通過する処理空気との間で熱交換させるものである。より詳細に説明すると、処理側熱交換器５２は、除湿運転を行う場合には、蒸発器として作用する一方、暖房運転を行う場合には、凝縮器として作用するものである。つまり、除湿運転を行う場合には、冷媒を蒸発させて周囲を通過する処理空気を冷却、換言すると該処理空気より熱をくみあげる態様で吸熱する一方、暖房運転を行う場合には、冷媒を凝縮させて周囲を通過する処理空気を加熱するものである。
【００２８】
再生側熱交換器５３は、空気放出路４００において水分放出領域４１の上流域、すなわち圧縮機５１と水分放出領域４１との間の所定域に配設してある。この再生側熱交換器５３は、冷媒を周囲空気、すなわち水分放出領域４１に向けて通過する再生空気との間で熱交換させるものである。より詳細に説明すると、再生側熱交換器５３は、除湿運転を行う場合には、凝縮器として作用する一方、暖房運転を行う場合には、蒸発器として作用するものである。つまり、除湿運転を行う場合には、冷媒を凝縮させて周囲を通過する再生空気を加熱する一方、暖房運転を行う場合には、冷媒を蒸発させて周囲を通過する再生空気を冷却、換言すると該再生空気より熱をくみあげる態様で吸熱するものである。
【００２９】
このようにヒートポンプユニット５０は、除湿運転を行う場合には、処理側熱交換器５２を通じて処理空気より熱をくみあげ（吸熱し）、再生側熱交換器５３を通じて処理側熱交換器５２で吸熱した熱で再生空気を加熱する一方、暖房運転を行う場合には、再生側熱交換器５３を通じて再生空気より熱をくみあげ（吸熱し）、処理側熱交換器５２を通じて再生側熱交換器５３で吸熱した熱で処理空気を加熱するものである。
【００３０】
このような除湿空調装置１０は、上記構成に加えて更に２つの還気送出手段（以下、第１還気送出手段および第２還気送出手段とも称する）６１，６２を備えている。
【００３１】
第１還気送出手段６１は、空気供給路３００に店舗１内の内部空気を送出するためのものであり、第１送出ダクト６１１および第１給気室６１２を備えて構成してある。第１送出ダクト６１１は、一端が店舗１内に設けられた還気取出口３に連通し、他端が第１給気室６１２に連通してあり、還気取出口３から内部空気を第１給気室６１２に送出するためのダクトである。
【００３２】
第１給気室６１２は、２つの給気口（以下、第１上流側給気口および第１下流側給気口とも称する）６１３，６１４を介して空気供給路３００に連通する態様で設けてある密閉構造の室である。この第１給気室６１２は、空気供給路３００に並設してあり、該空気供給路３００と略同じ長さを有している。また第１上流側給気口６１３は、空気供給路３００において処理側熱交換器５２の上流域を臨む態様で設けてあり、第１下流側給気口６１４は、空気供給路３００において水分吸着領域３１の下流域を臨む態様で設けてある。これら第１上流側給気口６１３および第１下流側給気口６１４のそれぞれは、給気ダンパ６３により開閉されるものである。給気ダンパ６３は、開閉可能なものであり、開動作することにより第１上流側給気口６１３および第１下流側給気口６１４のそれぞれを通じての内部空気の送出を許容する一方、閉動作して全閉となることによりこれら給気口６１３，６１４を通じての内部空気の送出を規制するものである。
【００３３】
このような第１給気室６１２の内部には、第１送出ダクト６１１を通じて店舗１内の内部空気が進入し、かかる内部空気が充満している。
【００３４】
第２還気送出手段６２は、空気放出路４００に店舗１内の内部空気を送出するためのものであり、第２送出ダクト６２１および第２給気室６２２を備えて構成してある。第２送出ダクト６２１は、一端が店舗１内に設けられた還気取出口３に連通し、他端が第２給気室６２２に連通してあり、還気取出口３から内部空気を第２給気室６２２に送出するためのダクトである。
【００３５】
第２給気室６２２は、２つの給気口（以下、第２上流側給気口および第２下流側給気口とも称する）６２３，６２４を介して空気放出路４００に連通する態様で設けてある密閉構造の室である。この第２給気室６２２は、空気放出路４００に並設してあり、該空気放出路４００と略同じ長さを有している。また第２上流側給気口６２３は、空気放出路４００において再生側熱交換器５３の上流域を臨む態様で設けてあり、第２下流側給気口６２４は、空気放出路４００において水分放出領域４１の下流域を臨む態様で設けてある。これら第２上流側給気口６２３および第２下流側給気口６２４のそれぞれは、給気ダンパ６３により開閉されるものである。給気ダンパ６３は、開閉可能なものであり、開動作することにより第２上流側給気口６２３および第２下流側給気口６２４のそれぞれを通じての内部空気の送出を許容する一方、閉動作して全閉となることによりこれら給気口６２３，６２４を通じての内部空気の送出を規制するものである。
【００３６】
このような第２給気室６２２の内部には、第２送出ダクト６２１を通じて店舗１内の内部空気が進入し、かかる内部空気が充満している。また、図１中の符号６４は庇である。
【００３７】
以上のような構成を有する除湿空調装置１０では、次のようにして除湿運転および暖房運転が行われる。
【００３８】
まず除湿運転を行う場合について説明する。除湿運転指令が与えられて、モータ、供給ファン３２、放出ファン４２および圧縮機５１のそれぞれが駆動するとともに、ヒートポンプユニット５０を構成する弁体５４が、圧縮機５１で圧縮された冷媒が再生側熱交換器５３に向けて送出されるよう調整される。
【００３９】
また、第１上流側給気口６１３、第１下流側給気口６１４、第２上流側給気口６２３および第２下流側給気口６２４のそれぞれを開閉する給気ダンパ６３は、予め決められた開度に調整されているものとする。すなわち、これら第１上流側給気口６１３、第１下流側給気口６１４、第２上流側給気口６２３および第２下流側給気口６２４を通じての店舗１内の内部空気が空気供給路３００および空気放出路４００のそれぞれに送出可能な状態になっている。
【００４０】
モータが駆動することにより水分吸着体２１が回転する。ヒートポンプユニット５０では、弁体５４が圧縮機５１で圧縮された冷媒が再生側熱交換器５３に向けて送出されるよう調整されることにより、圧縮機５１で圧縮された冷媒（高温高圧の冷媒）は、再生側熱交換器５３に送出され、該再生側熱交換器５３で再生空気と熱交換した後に処理側熱交換器５２に送出され、該処理側熱交換器５２で処理空気と熱交換した後に圧縮機５１に帰還する態様で冷媒循環回路５０ａを循環する。つまり、処理側熱交換器５２は蒸発器として作用する一方、再生側熱交換器５３は凝縮器として作用する。
【００４１】
供給ファン３２の駆動により、処理空気が処理空気取入口３０１を通じて空気供給路３００に取り入れられる。また、第１給気室６１２に充満する内部空気が第１上流側給気口６１３および第１下流側給気口６１４のそれぞれを通じて空気供給路３００に進入する。第１上流側給気口６１３を通じて進入した内部空気は、処理側熱交換器５２の上流域で処理空気取入口３０１より取り入れられた処理空気と混合し、その後処理側熱交換器５２に至る。処理側熱交換器５２に至った空気は、該処理側熱交換器５２の内部を通過する冷媒が蒸発することにより冷却され、水分吸着領域３１に至る。水分吸着領域３１において、該空気に含有される水分が水分吸着体２１の対応する部分に吸着され、空気の湿度が低下する。すなわち、かかる空気は除湿される。また、水分吸着体２１の水分吸着領域３１に対応する部分に吸着された水分は、水分吸着体２１の回転とともに、水分吸着領域３１から水分放出領域４１に移動する。水分吸着領域３１で除湿された空気は、供給ファン３２の駆動により下流域に向けて流れ、第１下流側給気口６１４を通じて水分吸着領域３１の下流域に進入した内部空気と混合された後、処理空気吐出口３０２を通じて店舗１の内部に供給される。
【００４２】
一方、放出ファン４２の駆動により、再生空気取入口４０１を通じて再生空気が取り入れられ、取り入れられた再生空気は、圧縮機５１の周囲を通過する。かかる圧縮機５１の周囲を通過する再生空気は、圧縮機５１から発生する駆動熱（実際にはモータ等から発生する熱）により僅かに加熱される。また、第２給気室６２２に充満する内部空気が第２上流側給気口６２３および第２下流側給気口６２４のそれぞれを通じて空気放出路４００に進入する。第２上流側給気口６２３を通じて進入した内部空気は、再生側熱交換器５３の上流域で圧縮機５１の周囲を通過した再生空気と混合し、その後再生側熱交換器５３に至る。再生側熱交換器５３に至った空気は、該再生側熱交換器５３の内部を通過する冷媒が凝縮することにより加熱されて高温度になり、水分放出領域４１に至る。水分放出領域４１において、再生側熱交換器５３で加熱された空気が通過することにより、水分吸着体２１の対応する部分から水分が放出され、該空気の湿度が上昇する。その後、水分放出領域４１を通過した空気は、放出ファン４２の駆動により下流域に流れ、第２下流側給気口６２４を通じて水分放出領域４１の下流域に進入した内部空気と混合された後、再生空気吐出口４０２を通じて外部に放出される。
【００４３】
次に暖房運転を行う場合について説明する。暖房運転指令が与えられて、モータの駆動が停止する一方、供給ファン３２、放出ファン４２および圧縮機５１のそれぞれが駆動するとともに、ヒートポンプユニット５０を構成する弁体５４が、圧縮機５１で圧縮された冷媒が処理側熱交換器５２に向けて送出されるよう調整される。
【００４４】
また、第２上流側給気口６２３および第２下流側給気口６２４のそれぞれを開閉する給気ダンパ６３は、閉動作して全閉状態にされているものとする。すなわち、第２上流側給気口６２３および第２下流側給気口６２４を通じて内部空気の送出が規制されている。
【００４５】
モータの駆動が停止することにより水分吸着体２１の回転が停止する。従って、水分吸着領域３１での水分の吸着、水分放出領域４１での水分の放出は殆ど行われない。これにより処理空気は水分吸着領域３１を単に通過し、再生空気は水分放出領域４１を単に通過することになる。
【００４６】
ヒートポンプユニット５０では、弁体５４が圧縮機５１で圧縮された冷媒が処理側熱交換器５２に向けて送出されるよう調整されることにより、圧縮機５１で圧縮された冷媒（高温高圧の冷媒）は、処理側熱交換器５２に送出され、該処理側熱交換器５２で処理空気と熱交換した後に再生側熱交換器５３に送出され、該再生側熱交換器５３で再生空気と熱交換した後に圧縮機５１に帰還する態様で冷媒循環回路５０ａを循環する。つまり、処理側熱交換器５２は凝縮器として作用する一方、再生側熱交換器５３は蒸発器として作用する。
【００４７】
供給ファン３２の駆動により、処理空気が処理空気取入口３０１を通じて空気供給路３００に取り入れられる。また、第１給気室６１２に充満する内部空気が第１上流側給気口６１３および第１下流側給気口６１４のそれぞれを通じて空気供給路３００に進入する。第１上流側給気口６１３を通じて進入した内部空気は、処理側熱交換器５２の上流域で処理空気取入口３０１より取り入れられた処理空気と混合し、その後処理側熱交換器５２に至る。処理側熱交換器５２に至った空気は、該処理側熱交換器５２の内部を通過する冷媒が凝縮することにより加熱され、水分吸着領域３１を通過した後に下流域に向けて流れ、第１下流側給気口６１４を通じて水分吸着領域３１の下流域に進入した内部空気と混合された後、処理空気吐出口３０２を通じて店舗１の内部に供給される。
【００４８】
一方、放出ファン４２の駆動により、再生空気取入口４０１を通じて再生空気が取り入れられ、取り入れられた再生空気は、圧縮機５１の周囲を通過する。かかる圧縮機５１の周囲を通過する再生空気は、圧縮機５１から発生する駆動熱（実際にはモータ等から発生する熱）により僅かに加熱され、再生側熱交換器５３に至る。再生側熱交換器５３に至った再生空気は、該再生側熱交換器５３の内部を通過する冷媒が蒸発することにより冷却され、すなわち該再生側熱交換器５３に吸熱され、水分放出領域４１を通過した後に再生空気吐出口４０２を通じて外部に放出される。
【００４９】
以上説明したような本発明の実施の形態における除湿空調装置１０によれば、第１還気送出手段６１が、第１給気室６１２に店舗１内の内部空気を充満させ、給気ダンパ６３を開動作させることにより第１上流側給気口６１３および第１下流側給気口６１４を通じて第１給気室６１２に充満した内部空気を空気供給路３００に送出するので、内部空気の流速を略一定にすることができ、空気供給路３００に供給する内部空気の供給量を容易に制御することが可能になる。同様に、除湿運転を行う場合に、第２還気送出手段６２が、第２給気室６２２に店舗１内の内部空気を充満させ、給気ダンパ６３を開動作させることにより第２上流側給気口６２３および第２下流側給気口６２４を通じて第２給気室６２２に充満した内部空気を空気放出路４００に送出するので、内部空気の流速を略一定にすることができ、空気放出路４００に供給する内部空気の供給量を容易に制御することが可能になる。
【００５０】
また、上記除湿空調装置１０によれば、空気供給路３００に並設する第１給気室６１２に内部空気が充満していることから、該第１給気室６１２を充満する内部空気が空気層となって空気供給路３００の断熱層として作用し、この結果、空気供給路３００から無駄に熱エネルギーが放散される虞れがなく、省エネルギー化を図ることが可能になる。同様に、空気放出路４００に並設する第２給気室６２２に内部空気が充満していることから、該第２給気室６２２を充満する内部空気が空気層となって空気放出路４００の断熱層として作用し、この結果、空気放出路４００から無駄に熱エネルギーが放散される虞れがなく、省エネルギー化を図ることが可能になる。特に、庇６４を設けてあることにより、庇６４と第１給気室６１２との間にも空気層が形成され、空気供給路３００の断熱効果を更に向上させることが可能になる。
【００５１】
更に、上記除湿空調装置１０によれば、第１給気室６１２に充満した内部空気を第１上流側給気口６１３および第１下流側給気口６１４の少なくとも一方から空気供給路３００に送出するようにしてあるので、配管ダクトは１つあれば十分であり、配管ダクトの設置工事等を簡素化することができ、製造コストの低減化を図ることができる。
【００５２】
以上、本発明の好適な実施の形態について説明したが、本発明はこの実施の形態に限定されずに種々の変更を行うことができる。図２〜図４は、それぞれ本発明の実施の形態における除湿空調装置１０の変形例の構成を模式的に示した模式図である。尚、図１に示す除湿空調装置１０と同一の構成を有するものには同一の符号を付してその説明を省略する。以下に図２〜図４の例についてそれぞれ説明する。
【００５３】
図２に示す除湿空調装置１１では、処理空気取入口３０１に導入ダンパ６５を設けてある。このような構成によれば、例えば除湿運転開始時に導入ダンパ６５を閉動作させて処理空気取入口３０１を全閉にすることにより、第１給気室６１２から送出される内部空気を冷却して除湿し、再び店舗１内に供給することができる。このように内部空気を循環させる態様で除湿することにより、所望の温湿度への調整が比較的短時間で行うことが可能になり、運転時間の短縮化を図ることができるとともに、省エネルギー化を図ることもできる。
【００５４】
図３に示す除湿空調装置１２では、空気供給路３００における処理側熱交換器５２の上流域に整流機構６６を付設してある。このような構成によれば、処理空気取入口３０１より取り入れられた処理空気と、第１上流側給気口６１３から送出された内部空気との混合により偏流が生じても、該整流機構６６で偏流を抑制するため、処理側熱交換器５２および水分吸着領域３１を通過する際には空気を均質化させることができ、除湿効率の向上を図ることができる。
【００５５】
図４に示す除湿空調装置１３では、第１給気室６１２に外気（処理空気）を導入するための外気導入口６７が形成してあるとともに、かかる外気導入口６７を開閉して外気の導入量を調節するためのダンパ６８が設けてある。このような構成によれば、第１給気室６１２の内部で外気と内部空気とを混合拡散させて、第１上流側給気口６１３および第１下流側給気口６１４の少なくとも一方を通じて空気供給路３００に混合空気を送出することができる。これにより、空気供給路３００を通過する空気は均質化されたものになり、除湿効率の向上を図ることができる。
【００５６】
また、上述した図示の例では、第１給気室６１２は、空気供給路３００と略等しい長さを有していたが、本発明では必ずしも空気供給路３００と略等しい長さを有する必要がないことは言うまでもない。
【００５７】
更に上述した実施の形態では、第１給気室６１２および第２給気室６２２の両方を設けた場合について説明したが、本発明では第１給気室６１２のみ、あるいは第２給気室６２２のみ設けた場合でも良いことは言うまでもない。
【産業上の利用可能性】
【００５８】
以上のように、本発明は、例えばスーパーマーケット、コンビニエンスストア、ショッピングセンター等の店舗に適用され、店舗内への外気導入による換気、除湿、空気調和の各機能を有する除湿空調装置として有用である。
【図面の簡単な説明】
【００５９】
【図１】本発明の実施の形態における除湿空調装置の構成を模式的に示した模式図である。
【図２】本発明の実施の形態における除湿空調装置の変形例の構成を模式的に示した模式図である。
【図３】本発明の実施の形態における除湿空調装置の変形例の構成を模式的に示した模式図である。
【図４】本発明の実施の形態における除湿空調装置の変形例の構成を模式的に示した模式図である。
【符号の説明】
【００６０】
１        店舗
２        ショーケース
３        還気取出口
１０，１１，１２，１３      除湿空調装置
２０      除湿ロータ
２１      水分吸着体
３０      空気供給手段
３００    空気供給路
３１      水分吸着領域
４０      空気放出手段
４００    空気放出路
４１      水分放出領域
５０      ヒートポンプユニット
５０ａ    冷媒循環回路
５１      圧縮機
５２      処理側熱交換器
５３      再生側熱交換器
５４      弁体
６１      第１還気送出手段
６１１    第１送出ダクト
６１２    第１給気室
６１３    第１上流側給気口
６１４    第１下流側給気口
６２      第２還気送出手段
６２１    第２送出ダクト
６２２    第２給気室
６２３    第２上流側給気口
６２４    第２下流側給気口
６３      給気ダンパ
【図１】
2008190746.tif 000003
【図２】
2008190746.tif 000004
【図３】
2008190746.tif 000005
【図４】
2008190746.tif 000006